(57)【特許請求の範囲】
【請求項１】
取付対象物に設けられる取付穴にねじ込まれるネジ部と、このネジ部に連続して上記取付穴に導入可能であってねじ山が形成された導入軸部と、弾性部材からなりこの導入軸部にねじ込み外嵌されるとともに外形が上記取付穴よりも大きく設定されることにより、上記取付穴周縁部と係合してねじ込みトルクによる衝撃力を緩和する緩衝部材とを備えることを特徴とする土木建築用ボルト。
【請求項２】
上記緩衝部材は、少なくとも上記導入軸部におけるネジ部側の端部に配設されていることを特徴とする請求項１記載の土木建築用ボルト。
【請求項３】
上記緩衝部材は、防水材により構成されていることを特徴とする請求項１または請求項２記載の土木建築用ボルト。
【請求項４】
上記導入軸部の長さは当該導入軸部の最小径の０．２倍から２．０倍の範囲内に設定され、上記緩衝部材はこの導入軸部の軸方向の全範囲に亘って外嵌されていることを特徴とする請求項１ないし請求項３のいずれか１項に記載の土木建築用ボルト。
【請求項５】
上記ネジ部と反対側の端部に第２のネジ部をさらに備えることを特徴とする請求項１ないし請求項４のいずれか１項に記載の土木建築用ボルト。
【請求項６】
上記緩衝部材は、上記取付穴周縁部に係合することにより圧壊するものであることを特徴とする請求項１または請求項２記載の土木建築用ボルト。
【発明の詳細な説明】
【技術分野】
【０００１】
本発明は、一端部又は両端部にネジ部を有し、例えばＨ型鋼にコンクリート型枠保持用の金具を取り付けるために使用される土木建築用ボルトに関するものである。
【背景技術】
【０００２】
この種の土木建築用ボルトは、部材間の締結や、取付対象物に対する部材の固定のために広く用いられており、その用途は多種多様である。例えば、両端にネジ部を有する土木建築用ボルトは、コンクリート型枠を保持するための保持装置にも用いられている。
【０００３】
このコンクリート型枠の保持装置に用いられる土木建築用ボルトは、例えば特許文献１に示されるように、一端部にＨ型鋼に設けられた取付穴にねじ込まれるタッピングネジ付のドリルネジ部が設けられ、他端部にも取付雄ネジ部が設けられている。この取付雄ネジ部には、セパレータの長さ調節用に用いられる連結金具（枠体）の一端部に形成された雌ネジが装着される。そして、この土木建築用ボルトは、インパクトレンチなどの電動工具を利用してそのドリルネジ部をＨ型鋼などの金属部分にねじ込み固定するものとなされている。なお、このねじ込み固定にあたって、あらかじめ電動ドリルなどでＨ型鋼などの金属部分に下穴を穿ち、ドリルネジ部をガイドすることも一般的に行われている。
【先行技術文献】
【特許文献】
【０００４】
【特許文献１】特開平３−２０６２６３号公報
【発明の概要】
【発明が解決しようとする課題】
【０００５】
ところで、この種の土木建築用ボルトにおいては、上記コンクリート型枠保持装置にも例示されるように、インパクトレンチ、インパクトドライバーやドリルドライバーなどの電動工具を用いて取り付けられる場合が多く、このような電動工具のトルクを適切に調整しておかなければ、土木建築用ボルトの頭（工具取付部）が着座するねじ込み終了時にトルクが衝撃力として土木建築用ボルトに生じ、当該ボルトが破断する場合があった。
【０００６】
したがって、土木建築用ボルトの軸径をある程度大きいものを選択するか、電動工具のトルクを調整しながらねじ込むか、しなければならないという問題があった。
【０００７】
一方、土木建築用ボルトの中には、その軸径を細くすることが望まれているものもあり、このように土木建築用ボルトの軸径を細くすると上記破断の問題が顕著に表れる。
【０００８】
例えば、上記コンクリート型枠の保持装置に用いられる土木建築用ボルトでは、上記のように、取付対象物に対し下穴を穿つことがあるが、この下穴の径は土木建築用ボルトの軸径に応じて変えられることが多く、同軸径が大きければ大きいほど、大きい径の下穴が穿たれる。このため、軸径の大きい土木建築用ボルトを用いる場合には、下穴の穿孔作業に時間を費やし作業効率が低下するため、土木建築用ボルトの軸径を細くしたいという要望がある。
【０００９】
また、コンクリートの打設後にＨ型鋼が引き抜き再利用されることがあるが、この場合、土木建築用ボルトを破断させてＨ型鋼を引き抜くものとなされており、この土木建築用ボルトの軸径が大きいとその引き抜き力も大きくなることから、軸径を細くすることが望まれる場合もある。
【００１０】
このように土木建築用ボルトにおいては、過大なトルクでねじ込みが行われると破断する可能性があることから大きな軸径が望まれる一方、作業効率等を向上する観点から小さな軸径が望まれ、これらの相反する要望を同時に満たすことが課題であった。
【００１１】
本発明は、上記従来の問題点に鑑みてなされたものであり、ねじ込み終了時にボルトに生じるねじ込みトルクによる衝撃力を緩和して土木建築用ボルトの破断を抑制することにより上記相反する要望を同時に満たす土木建築用ボルトを提供することを目的としている。
【課題を解決するための手段】
【００１２】
上記課題を解決するために、この発明に係る土木建築用ボルトは、取付対象物に設けられる取付穴にねじ込まれるネジ部と、このネジ部に連続して上記取付穴に導入可能であってねじ山が形成された導入軸部と、弾性部材からなりこの導入軸部にねじ込み外嵌されるとともに外形が上記取付穴よりも大きく設定されることにより、上記取付穴周縁部と係合してねじ込みトルクによる衝撃力を緩和する緩衝部材とを備えることを特徴とするものである。なお、上記取付穴は予め取付対象物に設けられているものであってもよいし、また土木建築用ボルトの上記ネジ部により形成されるものであってもよい。
【００１３】
この発明によれば、ネジ部に連続して取付穴に導入可能な導入軸部が設けられているので、上記ネジ部のねじ込み終了時であってもこの導入軸部がねじ込みにあたっての遊びとして機能する。また、この導入軸部には外形が上記取付穴よりも大きく設定された緩衝部材が外嵌されているので、導入軸部が取付穴に導入されるにあたって緩衝部材が取付穴周縁部と係合してねじ込みに対する緩衝効果を付与する。
【００１４】
したがって、工具、特に電動工具などによりこの土木建築用ボルトをねじ込む場合には、このねじ込み終了時にねじ込みトルクが一挙に衝撃力として土木建築用ボルトに作用することが抑制され、このねじ込みトルクによるせん断力が徐々に土木建築用ボルトに作用する。このため、ねじ込み終了時の土木建築用ボルトの破断を効果的に抑制することができ、また従来のものと比べて、土木建築用ボルトの径を小径に形成することもできる。
【００１５】
この発明において、上記緩衝部材は、導入軸部における全範囲に配設されているものであってもよいし、またその一部に配設されているものであってもよいが、少なくとも上記導入軸部におけるネジ部側の端部に配設されているのが好ましい（請求項２）。
【００１６】
このように構成すれば、上記ネジ部の全長が上記取付穴内にねじ込まれるねじ込み終了時に緩衝部材が取付穴周縁部に係合するので、直ちに緩衝効果を作用させることができる。
【００１７】
この発明において、上記緩衝部材は、弾性部材から構成されており、更に上記取付穴周縁部に係合することにより圧壊するものであってもよい。
【００１８】
上記緩衝部材が弾性部材から構成されるので、この弾性部材の弾性変形に伴い、ねじ込みトルクによる衝撃力を効果的に緩和することができる。しかも、上記緩衝部材を構成する素材にもよるが、上記緩衝部材が弾性部材から構成されれば、上記取付穴周縁部の損壊を有効に防止することができる。一方、上記緩衝部材が上記取付穴周縁部に係合することにより圧壊するものから構成されれば、この圧壊に伴いねじ込みトルクによる衝撃力を効果的に緩和することができる。なお、上記取付穴周縁部に係合することにより圧壊するものとしては、例えば弾性部材であるか否かにかかわらず、コルクや木材等、柔らかい又は脆い素材で構成され、上記取付穴周縁部に係合することにより破壊され、この破壊に伴って緩衝効果を得ることができるものや、あるいは例えば薄い鋼板、ベントナイトによって碗型等、立体的に構成され、上記取付穴周縁部に係合することにより塑性変形し、この塑性変形に伴い緩衝効果を得ることができるものなどを例示することができる。なお、ベントナイトにより緩衝部材が構成される場合には止水効果を得ることができる。
【００１９】
この発明において、上記緩衝部材の具体的素材は特に限定するものではないが、緩衝部材として弾性部材を用いる場合には、この緩衝部材が防水材により構成されているのが好ましい。
【００２０】
このように構成すれば、緩衝部材により上記取付穴を通じた浸水を有効に防止することができ、止水効果を得ることができる。例えば、防水材としては、軟質ポリ塩化ビニル、軟質ポリエチレン、軟質ポリプロピレンなどの軟質合成樹脂や、アクリルゴム、フッ素ゴム、ニトリルゴム、スチロールゴム、シリコーンゴム等のゴムなどを例示することができる。
【００２１】
この発明において、上記導入軸部の具体的構成を特に限定するものではないが、例えば上記導入軸部の長さは当該導入軸部の最小径の０．２倍から２．０倍の範囲内に設定され、上記緩衝部材はこの導入軸部の軸方向の全範囲に亘って外嵌されているのが好ましい。
【００２２】
すなわち、導入軸部がその最小径の０．２倍よりも短ければ、緩衝効果を十分に得ることができない。一方、導入軸部がその最小径の２．０倍より長ければ、十分な締付けができない。従って、導入軸部の長さは、上記範囲に設定されるのが好ましい。
【００２３】
この発明において、ボルトの具体的構成を特に限定するものではなく、ネジ部を有すればどのようなボルト（本明細書ではネジも含む概念である）でもよいが、例えば上記ネジ部と反対側の端部に第２のネジ部をさらに備えるいわゆるスタッドボルトとして構成されていてもよい。
【００２４】
なお、この発明において、上記のように第２のネジ部が設けられ、この第２ネジ部に金具が装着されて、この金具を介して土木建築用ボルトを取付対象物にねじ込むもの等であってもよいが、例えば、上記導入軸部におけるネジ部と反対側の端部に設けられ、上記ネジ部に回転トルクを付与する工具が着脱自在に取り付けられる工具取付部を更に備えるのが好ましい。
【００２５】
このように構成すれば、工具取付部に工具を装着して土木建築用ボルトを取付対象物にねじ込むことができ、利便性を向上することができる。なお、この工具取付部は、上記導入軸部に直接的に設けられ、すなわち導入軸部に連続して設けられるものであってもよいが、首部を構成する軸部を介して間接的に設けられるものであってもよい。
【００２６】
また、この発明において、上記導入軸部は、上記ネジ部のねじ山に連続して形成されたねじ山が設けられ、上記ネジ部に続いて上記取付穴にねじ込み可能に構成されているものであってもよいし、あるいは上記導入軸部は、上記ネジ部の内径以下の径を有する小径の軸部であり、上記ネジ部に続いて取付穴に挿入可能に構成されているものであってもよい。
【００２７】
上記導入軸部が上記ネジ部と同様にネジが形成されている場合には、より確実に土木建築用ボルトを取付対象物に固定することができる。一方、上記導入軸部が小径の軸部として構成されている場合には、この導入軸部のねじ込みに対する抵抗を低減することができる。
【００２８】
さらに、この発明において、導入軸部および緩衝部材の具体的構成を特に限定するものではないが、上記導入軸部は上記ネジ部の１ピッチから６ピッチの範囲内に設定され、上記緩衝部材はこの導入軸部の軸方向の全範囲に亘って外嵌されているのが好ましい。このように構成すれば、緩衝部材による緩衝効果を確実に得ることができる。すなわち、導入軸部の長さがネジ部の１ピッチよりも小さいと緩衝効果を十分に得ることができない。一方、導入軸部の長さがネジ部の６ピッチよりも大きいと緩衝部材の存在により十分な締付けができない。従って、導入軸部の長さは、上記範囲内に設定されるのが好ましい。
【００２９】
また、この発明において、上記ネジ部はＨ型鋼に設けられた上記取付穴にねじ込まれるものであり、上記導入軸部の径は３ｍｍ〜７ｍｍの範囲内に設定されているのが好ましい。また、更に好ましくは、導入軸部の径は、下限が４ｍｍ以上で、上限が６ｍｍ以下に設定されるのが好ましい。
【００３０】
すなわち、例えばコンクリート型枠を形成するために用いられる土木建築用ボルトは、Ｈ型鋼にねじ込まれることがあり、このような範囲に導入軸部の径を設定することにより、既存の土木建築用ボルトをねじ込む場合に比べて、上記取付対象物に設けられる取付穴の径を細くすることができ、作業効率が向上するとともに、コンクリートを打設後にＨ型鋼を抜き取って再利用する場合に、この抜き取りに要する力を低減することができ、この点においても作業効率を向上させることができる。
【発明の効果】
【００３１】
本発明に係る土木建築用ボルトによれば、工具、特に電動工具などによりこの土木建築用ボルトをねじ込む場合には、ねじ込み終了時にボルトに作用するねじ込みトルクが一気に上昇して衝撃力として土木建築用ボルトに作用することが抑制され、このねじ込みトルクの上昇によるせん断力を徐々に土木建築用ボルトに作用させることができる。このため、ねじ込み終了時における土木建築用ボルトの破断を効果的に抑制することができる。このようにねじ込み終了時における破断を効果的に抑制することができることから、例えば土木建築用ボルトの軸径も細くすることができ、作業効率や利便性等の向上を図ることができる。
【図面の簡単な説明】
【００３２】
【図１】本発明の一実施形態に係る土木建築用ボルトを含むコンクリート型枠保持装置の全体を示す一部断面図である。
【図２】同ボルトを示す正面図である。
【図３】同ボルトを示す分解斜視図である。
【図４】同ボルトを取付前の状態で示す一部断面図である。
【図５】同ボルトを取付状態で示す一部断面図である。
【図６】同ボルトの導入軸部の変形例を示す正面図である。
【発明を実施するための形態】
【００３３】
以下、本発明に係る一実施形態を図面に基づいて説明する。なお、本実施形態の土木建築用ボルトは、コンクリート型枠保持用金具を取り付けるために用いられるボルト（以下「取付用ボルト」という）について説明するが、この土木建築用ボルトの用途としてはこれに限定されず、例えば足場構築用、軽天の下地構築用等、土木建築に用いられるものであればその用途を限定するものではない。
【００３４】
図１は、本実施形態に係る取付用ボルト（土木建築用ボルト）を含むコンクリート型枠保持装置の全体を示す横断面図である。
【００３５】
本実施形態におけるコンクリート型枠保持装置Ａは、地中にコンクリート壁を形成する場合のコンクリート型枠を保持するためのものであり、土留め壁又は連続地中壁等の壁体５側に配設されたＨ型鋼６（金属部分）又は型枠パネル（不図示）と、これらのＨ型鋼６等と所定の間隔を隔てて配設された型枠パネル７とを保持するものである。
【００３６】
この型枠保持装置Ａは、両端にネジ部１１，１２を有し一端ネジ部１１がＨ型鋼６等にねじ込み固定される取付用ボルト１と、この取付用ボルト１の他端ネジ部１２に螺合される調整筒体２と、調整筒体２の他端部に一端部が螺合されるセパレータ３とを備え、セパレータ３の調整筒体２に対するねじ込み量によってセパレータ３の調整筒体２からの突出長さを調整し、図１におけるＨ型鋼６と型枠パネル７との間隔を調整しつつ、型枠パネル７等を保持するものとなされている。
【００３７】
取付用ボルト１については、後に詳細に説明するが、まずこの型枠保持装置Ａにおける取付用ボルト１以外の各部材について簡単に説明する。
【００３８】
調整筒体２は、図１におけるＨ型鋼６又は不図示の型枠パネルとこれらに対向配置された型枠パネル７との間隔に応じて、セパレータ３の突出長さを調整するものである。この調整筒体２は、取付用ボルト１に一端部が螺合される第１筒体２１と、この第１筒体２１の他端縮径部２１１に一端部が外嵌される第２筒体２２と、この第２筒体２２の他端部に一端部が内嵌され、セパレータ３に係合してセパレータ３の回転を阻止するストッパ２３とを備える。なお、第２筒体２２又は第２筒体２２およびストッパ２３は適宜省略可能である。
【００３９】
第１筒体２１は、筒本体２１０と、この筒本体２１０に延設され該筒本体２１０の外径よりも小径の縮径部２１１とを備える。筒本体２１０は、縮径部２１１と反対側の端部の内周面に雌ネジ部２１０ａが設けられ、この雌ネジ部２１０ａに取付用ボルト１が螺合されるようになっている。また、この筒本体２１０の内径はセパレータ３の外径よりも僅かに大きく形成され、セパレータ３が挿通されるように設定されている。一方、縮径部２１１は、その略全長の内周面に雌ネジ部２１１ａが設けられ、この雌ネジ部２１１ａにセパレータ３の一端部が螺合されるように構成されている。そして、この縮径部２１１に対するセパレータ３のねじ込み量を調整することにより、調整筒体２からのセパレータ３の突出量を調整するものとなされている。
【００４０】
第２筒体２２は、その一端部（図１では右端部）内周面が、第１筒体２１の縮径部２１１に外嵌されるように寸法設定されるとともに、他端部にかけて拡径するように構成されている。従って、第２筒体２２の内周面は、一端部所定位置から他端にかけてテーパー状に形成され、セパレータ３の挿入がし易く設計されている。この第２筒体２２は、第１筒体２１の縮径部２１１に、外嵌状態で溶接等により連結固定されている。
【００４１】
ストッパ２３は、第２筒体２２のテーパー部２２１に内嵌される筒状のストッパ本体２３１と、ストッパ本体２３１の他端部に径方向外方に突出するフランジ部２３２とを有する。ストッパ本体２３１は、一端部外周面が先細り状に構成され、第２筒体２２に嵌入し易い構造となっている。またストッパ本体２３１は、軸方向に沿うスリット（不図示）が周方向に複数本形成され、縮径し易いように構成されている。フランジ部２３２は、ストッパ２３を第２筒体２２に圧入する際にハンマー等で打撃されるものであり、その用途に応じた寸法設定がなされている。
【００４２】
このストッパ２３は、第１筒体２１にセパレータ３が螺合されている状態で、フランジ部２３２がハンマー等で打撃されることにより、第２筒体２２に内嵌状態で圧入され、一端部が縮径してセパレータ３に押圧する。これにより、セパレータ３の第１および第２筒体２１，２２に対する相対的な回転が阻止され、セパレータ３の調整筒体２からの突出量を維持することができる。
【００４３】
セパレータ３は、図１に示すように所定長さの丸棒状のもので、調整筒体２側の端部に雄ねじが所定長さ範囲にわたって形成されている。このセパレータ３の他端部（図１では左端部）には、板状の型枠パネル７を内側から支持するピーコン３２が取り付けられている。ピーコン３２は、そのネジ部３２１が型枠パネル７に設けられた貫通孔７１に挿通され、ナット４により型枠パネル７に固定される。
【００４４】
次に取付用ボルト１について説明する。図２は取付用ボルトの正面図であり、図３は同ボルトの分解斜視図である。
【００４５】
取付用ボルト１は、両端部にネジ部１１，１２を有する、いわゆるスタッドボルトであり、炭素鋼、合金鋼などの鉄鋼、ステンレス等の公知のネジの素材により構成されている。具体的には、この取付用ボルト１は、Ｈ型鋼６に設けられる取付穴８にねじ込まれる第１雄ネジ部１１（ネジ部に相当）と、この第１雄ネジ部１１に連続して取付穴８にねじ込まれる導入ネジ軸部１３（導入軸部に相当）と、この導入ネジ軸部１３に首部１６を介して連設される工具取付部１４と、この工具取付部１４に首部１２１を介して連設される第２雄ネジ部１２と、導入ネジ軸部１３に外嵌された緩衝筒体１５（緩衝部材に相当）とを備える。図３に示すように、取付用ボルト１は、第１および第２雄ネジ部１１，１２、導入ネジ軸部１３、工具取付部１４が軸心を一致させた状態で一体に設けられ、このうち導入ネジ軸部１３に緩衝筒体１５が外嵌装着されることにより構成されている。なお、工具取付部１４と導入ネジ軸部１３又は第２雄ネジ部１２との間の首部は適宜省略することができる。
【００４６】
第１雄ネジ部１１は、本実施形態では、ピッチＰのタッピングネジとして構成されているが、このネジの種類は特に限定されるものではなく、ボルトネジ、ドリリングネジ、木ネジ等であってもよく、その取付対象物もＨ型鋼６等の金属に限定されるものではなく、コンクリート、木材、プラスチック等、種々適用可能である。この第１雄ネジ部１１の外径、軸長等は、取付対象物、取付条件等に応じて適宜設定される。
【００４７】
導入ネジ軸部１３は、ボルトの締付け工程で、第１雄ネジ部１１のねじ込みに続いて取付穴８に導入されるものであり、第１雄ネジ部１１のねじ込みについての遊びに相当するものである。本実施形態では、導入ネジ軸部１３は、第１雄ネジ部１１のねじ山に連続して形成されたねじ山が設けられ、第１雄ネジ部１１に続いて取付穴８にねじ込み可能に構成されている。すなわち、本実施形態では、導入ネジ軸部１３は、第１雄ネジ部１１と、一体のネジとして構成され、そのピッチ、内径、有効径、材質、ねじ山などの具体的構成が第１雄ネジ部１１と同一に形成されている。
【００４８】
この導入ネジ軸部１３の長さは、本実施形態では導入ネジ軸部１３の最小径に基づいて定められている。具体的には、導入ネジ軸部１３の長さは、導入ネジ軸部１３の内径（最小径）の０．２倍〜２．０倍の範囲内で設定される。本実施形態の導入ネジ軸部１３の長さは、その内径の約０．７倍に設定され、外周面に約３．５ピッチのねじ山が形成されている。
【００４９】
ここで、導入軸部の長さを上記範囲に設定しているのは、次の理由による。すなわち、導入ネジ軸部１３がその内径の０．２倍よりも短ければ、緩衝筒体１５による緩衝効果を十分に得ることができない。一方、導入ネジ軸部１３がその内径の２．０倍よりも長ければ、この取付用ボルト１のＨ型鋼６に対する締付けが十分にできない。従って、導入ネジ軸部１３の長さは、上記範囲内で設定されるのが好ましい。より好ましくは、導入ネジ軸部１３の長さは、その内径の０．５倍〜１．０倍の範囲内で設定されるのがよい。なお、本実施形態では、第１雄ネジ部１１と導入ネジ軸部１３の軸方向における長さの比率が約７：５に設定されている。すなわち、導入ネジ軸部１３は、第１雄ネジ部１１に対して短い。
【００５０】
また、導入ネジ軸部１３の長さは、第１雄ネジ部１１の１ピッチから６ピッチの範囲に設定されるのが更に好ましく、本実施形態では第１雄ネジ部１１の３．５ピッチに相当する長さに寸法設定されている。すなわち、導入ネジ軸部１３の長さが第１雄ネジ部１１の１ピッチよりも小さいと緩衝効果を十分に得ることができない。一方、導入ネジ軸部１３の長さが第１雄ネジ部の６ピッチよりも大きいとより十分な締付けができない。従って、導入ネジ軸部１３の長さは、上記範囲内に設定されるのが好ましい。
【００５１】
なお、導入ネジ軸部１３の径は、この種コンクリート型枠保持装置に用いる場合には３〜８ｍｍの範囲内に設定されるのが好ましい。また、更に好ましくは、導入ネジ軸部１３の径は、下限が４ｍｍ以上で、上限が７ｍｍ以下に設定されるのが好ましい。
【００５２】
工具取付部１４は、この取付用ボルト１をＨ型鋼６（および壁体５）にねじ込む場合に、第１雄ネジ部１１および導入ネジ軸部１３に回転トルクを付与する工具（例えばインパクトレンチなどの電動工具）が装着されるものである。本実施形態の工具取付部１４は、その一側面（図２で左側面）に緩衝筒体１５の一側面が当接してこの緩衝筒体１５の右方向の移動を拘束する緩衝筒体１５の位置決め部としての機能も果たしている。
【００５３】
この工具取付部１４は、首部１６を介して導入ネジ軸部１３の他端部に連続して設けられ、本実施形態では六角ナット状に形成されている。なお、この工具取付部１４に取り付けられる工具Ｔは、第２雄ネジ部１２との干渉を回避する凹部Ｔ１と、その先端側に配設され工具取付部１４に嵌合する嵌合部Ｔ２とを有するアタッチメントが先端に装着されて使用される（図４参照）。
【００５４】
この工具取付部１４の他端部には、首部１２１を介して第２雄ネジ部１２が連設されている。第２雄ネジ部１２は、調整筒体２の雌ネジ部２１０ａに螺合されるものである。この螺合により調整筒体２が取付用ボルト１に取り付けられる。この第２雄ネジ部１２は、第１雄ネジ部１１と順方向にネジが形成されている。
【００５５】
次に、導入ネジ軸部１３に外嵌されている緩衝筒体１５について説明する。この緩衝筒体１５は、図３に示すように、円筒状の部材として構成され、その外径が取付穴８の径よりも大きく設定されている。言い換えると、緩衝筒体１５の外形は、取付穴８よりも大きく設定されている。具体的には、緩衝筒体１５は、その内径が導入ネジ軸部１３の内径に略等しく設定され、その外径が導入ネジ軸部１３の内径の約１．４倍に設定される。この緩衝筒体１５の外径は、導入ネジ軸部１３の最小径に応じて定められるのが良く、例えば導入ネジ軸部１３の最小径の１．２倍〜２．０倍の範囲内で定められる。
【００５６】
緩衝筒体１５の軸方向長さは、導入ネジ軸部１３よりも短ければ特に限定されるものではないが、本実施形態では、導入ネジ軸部１３と同等の長さに設定されている。すなわち、緩衝筒体１５は、導入ネジ軸部１３の全長にわたって外嵌されている。このため、取付用ボルト１の取付穴８へのねじ込みにあたって、導入ネジ軸部１３が取付穴８に導入されると、当初から緩衝筒体１５の外周縁部が取付穴８の周縁部に係合して緩衝効果を得ることができる。
【００５７】
この緩衝筒体１５は、防水性を有する弾性部材からなる。具体的には、緩衝筒体１５は、例えば軟質ポリ塩化ビニル、軟質ポリエチレン、軟質ポリプロピレンなどの軟質合成樹脂や、アクリルゴム、フッ素ゴム、ニトリルゴム、スチロールゴム、シリコーンゴム等のゴムなどから構成されている。
【００５８】
この緩衝筒体１５は、第１雄ネジ部１１からねじ込まれ、導入ネジ軸部１３に外嵌される。なお、導入ネジ軸部１３に外嵌された緩衝筒体１５は、導入ネジ軸部１３のねじ山によって軸方向の摺動が抑制される。
【００５９】
なお、本実施形態の緩衝筒体１５は、切込みのない完全な筒体として構成されているが、軸方向の全長あるいは一部に切込みを設けてもよい。このような切込みを設けた場合には、緩衝筒体１５の導入ネジ軸部１３への外嵌が容易になる。また、緩衝筒体１５の軸方向又は径方向に貫通する貫通孔を１ないし複数本設けるものであってもよい。また、緩衝筒体１５の具体的形状は円筒状のものに限定されるものではなく、例えば角筒状、三角筒状等、外形が取付穴８よりも大きい筒状のものであれば良い。
【００６０】
次に、本実施形態におけるコンクリート型枠保持装置Ａの設置方法について説明する。図４は取付用ボルトを対象物に取付前の状態で示す一部断面図であり、図５は同ボルトを取付状態で示す一部断面図である。
【００６１】
まず、Ｈ型鋼６に、ドリル等で下穴である取付穴８を形成する。なお、第１雄ネジ部１１がドリリングネジで構成されている場合には、この下穴の穿孔工程を省略してもよい。
【００６２】
次に、インパクトレンチなどの電動工具Ｔの凹部Ｔ１および嵌合部Ｔ２のそれぞれに取付用ボルト１の第２雄ネジ部１２および工具取付部１４を挿入して、図４に示すように、取付穴８に第１雄ネジ部１１を位置合わせし、その状態で電動工具Ｔを作動させる。この作動に伴い、第１雄ネジ部１１に回転トルクが付与され、当該第１雄ネジ部１１が回転して取付穴８に螺入される。このとき、第１雄ネジ部１１により取付穴８の内周面に雌ネジが形成される。
【００６３】
第１雄ネジ部１１を取付穴８に螺入していくと、緩衝筒体１５の一端面（図４で右側面）が取付穴８の周縁部に当接する。そして、この状態でさらに第１雄ネジ部１１を取付穴８に螺入すると、緩衝筒体１５が取付穴８の周縁部に係合することにより該緩衝筒体１５が弾性変形しつつ、導入ネジ軸部１３が取付穴８にねじ込まれる。このため、ネジ部のねじ込み終了時に頭部（ないしは工具取付部）が着座して、軸部に作用する回転トルクによるせん断力が一気に上昇する従来の取付用ボルトと異なり、本実施形態の取付用ボルト１では、第１雄ネジ部１１に続いて導入ネジ軸部１３が取付穴８にねじ込まれるので、一気に軸部（第１雄ネジ部１１、導入ネジ軸部１３）に作用する回転トルクによるせん断力が上昇することはなく、緩衝筒体１５の弾性変形に伴い、取付用ボルト１の上記軸部に作用する上記せん断力が徐々に上昇する。従って、電動工具Ｔによりこの取付用ボルト１をねじ込む場合には、第１雄ネジ部１１のねじ込み終了時にねじ込みトルクが一挙に衝撃力として土木建築用ボルトに作用することが抑制される。しかも、従来の取付用ボルトと比べ、電動工具Ｔにより取付用ボルト１をねじ込むに際し、当該取付用ボルト１に作用する回転トルクが破断トルクに達するまでに時間的余裕が生じることから、その間に電動工具Ｔの作動を停止して、取付用ボルト１の破断を効果的に抑制することができる。また、このように取付用ボルト１の破断を効果的に抑制することができることから、従来のものに比べて、取付用ボルト１の径を小径に設定することができる。
【００６４】
このように取付用ボルト１の径（例えば第１雄ネジ部１１や導入ネジ軸部１３）を小径に設定することができるため、取付穴８を予め穿つ場合には、その径を細くすることができ作業効率を向上させることができる。しかも、コンクリート打設後にＨ型鋼６を引き抜き再利用する場合には、この引き抜きに要する力を低減することができ、Ｈ型鋼６の引き抜き作用の作業効率も向上させることができる。
【００６５】
さらに、導入ネジ軸部１３にねじ山が形成されているため、この導入ネジ軸部１３が取付穴８へ導入されることにより取付用ボルト１をより確実にＨ型鋼６に固定することができる。しかも、このねじ山が緩衝筒体１５の滑り止めの役目を果たし、緩衝筒体１５の軸方向に沿った摺動がほどよく阻止され、適度な緩衝効果を得ることができる。
【００６６】
図５に示すように、取付用ボルト１のＨ型鋼６等への取付が完了すると、緩衝筒体１５は偏平な形状に弾性変形し、その弾性回復力により取付穴８の周縁部に密着する。この緩衝筒体１５は、防水材により構成されているので、この取付穴８の周縁部に密着した緩衝筒体１５がシール材として機能し、取付穴８を通じた浸水を有効に防止するという止水効果を得ることができる。
【００６７】
次に、この取付用ボルト１の第２雄ネジ部１２に調整筒体２の第１筒体２１の雌ネジ部２１０ａを螺合することにより、取付用ボルト１に調整筒体２を取り付ける。なお、この際、調整筒体２にストッパ２３が軽く内嵌されている状態であってもよいが、本実施形態ではストッパ２３が取り付けられていない状態で調整筒体２を取付用ボルト１に取り付ける。
【００６８】
そして、セパレータ３の雄ネジが形成された端部に、ストッパ２３を予め挿通させ、この状態でセパレータ３を調整筒体２に取り付ける。このとき、第２筒体２２の内周面がテーパー状に形成されているため、この内周面に案内されてセパレータ３の一端部が第１筒体２１の縮径部２１１に案内される。続いて、セパレータ３を回転することにより、セパレータ３を第１筒体２１の縮径部２１１にねじ込み、このねじ込み量を調整することによりセパレータ３の調整筒体２からの突出長さを調整する。
【００６９】
セパレータ３の上記突出長さを適当な状態に設定した後、ストッパ２３を適切に配置してセパレータ３の調整筒体２に対する相対的な回転を阻止する。具体的には、ストッパ２３の本体２３１を第２筒体２２に内嵌させて、この状態でフランジ部２３２をハンマー等でストッパ２３を第２筒体２２に挿入する方向に打撃する。これにより、ストッパ本体２３１の先端部が縮径してセパレータ３に押圧されることによりセパレータ３の相対的な回転が阻止される。
【００７０】
最後に、セパレータ３の他端側に取り付けられたピーコン３２を型枠パネル７に取り付ける。これにより、型枠パネル７をＨ型鋼６から所定間隔隔てた状態で保持することができる。
【００７１】
なお、以上に説明した取付用ボルトは、本発明に係る土木建築用ボルトの一実施形態であり、その具体的構成等は、本発明の趣旨を逸脱しない範囲で適宜変更可能である。以下、その変形例を説明する。
【００７２】
（１）上記実施形態では、導入軸部がねじ山が形成された導入ネジ軸部１３として構成されているが、導入軸部の具体的構成はこれに限定されるものではない。例えば、図６に示すように、取付用ボルト１０１の導入軸部が、第１雄ネジ部１１の内径ｄ１以下の径ｄ２を有する小径の軸部１０３として構成され、第１雄ネジ部１１に続いて取付穴８に挿入可能に構成されているものであってもよい。このように構成すれば、導入軸部１０３のねじ込みに対する抵抗を低減することができる。
【００７３】
（２）上記実施形態では、導入ネジ軸部１３に首部を介して間接的に工具取付部１４が設けられているが、この工具取付部１４は導入ネジ軸部１３（導入軸部）に直接的に設けられるものであってもよい。
【００７４】
（３）上記実施形態では、緩衝部材としての緩衝筒体１５が弾性部材により構成され、この緩衝筒体１５が取付穴８の周縁部と係合することにより弾性変形してこれにより緩衝効果を得るものとなされているが、この緩衝部材は、例えば取付穴周縁部に係合することにより圧壊するものであってもよい。上記取付穴周縁部に係合することにより圧壊するものとしては、例えば弾性部材であるか否かにかかわらず、コルク、木材や蝋塊等、柔らかい又は脆い素材で構成され、上記取付穴周縁部に係合することにより破壊され、この破壊に伴って緩衝効果を得ることができるものや、あるいは例えば薄い鋼板によって一側方が開放された碗型、同方向が開放された箱形等、立体的に構成され、上記取付穴周縁部に係合することにより塑性変形し、この塑性変形に伴い緩衝効果を得ることができるものなどを例示することができる。
【００７５】
このように、緩衝部材が上記取付穴８の周縁部に係合することにより圧壊するものから構成されれば、この圧壊に伴いねじ込みトルクによる衝撃力を効果的に緩和することができる。
【００７６】
また、緩衝部材としての弾性部材は、上記実施形態における緩衝筒体１５に限定されるものではなく、つる巻きバネ、板バネ等であってもよい。
【００７７】
（４）上記実施形態では、緩衝部材である緩衝筒体１５が導入ネジ軸部１３の全長にわたって配設されているが、導入ネジ軸部１３（導入軸部）の軸方向における一部に配設されているものであってもよい。この場合、少なくとも導入ネジ軸部１３の第１雄ネジ部１１側の端部に配設されているのが好ましい。このように構成すれば、第１雄ネジ部１１の全長が取付穴８内にねじ込まれるねじ込み終了時に緩衝筒体１５が取付穴８の周縁部に係合するので、直ちに緩衝効果を作用させることができる。
【００７８】
（５）上記実施形態では、工具取付部１４に電動工具Ｔの嵌合部Ｔ２を外嵌させるものとなされているが、この工具取付部１４に代えて、第２雄ネジ部１２の端面にすり割等の工具取付用の溝部を設けても良い。また、これらの工具取付部を省略するものであってもよく、この場合、取付用ボルトのねじ込みにあたって、まず調整筒体２を取付用ボルトの第２雄ネジ部１２に取り付けた後、この調整筒体２を電動工具で回転させることにより、第１雄ネジ部１１に回転トルクを付与するようにしてもよい。
【００７９】
導入軸部１３におけるネジ部１１側の端部と反対側の端部に設けられた工具装着部１４を省略する場合には、緩衝筒体１５の変位を拘束する観点から、緩衝筒体１５（緩衝部材）の変位拘束構造を設けるのが良い。変位拘束構造は、具体的には、緩衝筒体１５の一端面が当接するフランジ部を設けるものであってもよいし、緩衝筒体１５の第２雄ネジ部１２側の端部が接着等により導入ネジ軸部１３に固定されるものであってもよい。
【符号の説明】
【００８０】
１  取付用ボルト（土木建築用ボルト）
２  調整筒体
３  セパレータ
６  Ｈ型鋼
７  型枠パネル
８  取付穴
１１  第１雄ネジ部（ネジ部）
１２  第２雄ネジ部
１３  導入ネジ軸部（導入軸部）
１４  工具取付部
１５  緩衝筒体（緩衝部材）
【図１】
0005485657.tif 000002
【図２】
0005485657.tif 000003
【図３】
0005485657.tif 000004
【図４】
0005485657.tif 000005
【図５】
0005485657.tif 000006
【図６】
0005485657.tif 000007